(57)【要約】【課題】乾燥工程を実施する循環送風経路に設けられる送風手段及びフィルタを振動の問題なくユニット化する。【解決手段】送風手段１５により水槽３内の空気をフィルタ室３６、除湿手段３１及び加熱手段３２を備えた循環送風経路５を通して循環させ洗濯物の乾燥工程を実施するのに、送風手段１５は、フィルタ室３６の循環空気排出口７２側に吸気口１２１側を相互間の防振構造部４３を有して結合し一体化することにより、上記の目的を達成する。【選択図】図６
2008113725.tif 000002
【特許請求の範囲】
【請求項１】
多数の透孔が形成され洗濯物を収容して回転駆動される回転ドラムが水槽内に設けられ、この水槽内の給水、排水及び前記回転ドラムの回転の制御により洗濯、すすぎ、脱水の各工程を実施すると共に、送風手段により水槽内の空気を除湿手段及び加熱手段を備えた循環送風経路を通して循環させることにより洗濯物の乾燥工程を実施し、循環送風経路の途中に主として糸くずなどの異物を捕集するフィルタを着脱できるように装着するフィルタ室を備えてなるドラム式洗濯乾燥機において、
送風手段は、フィルタ室の循環空気排出口側に吸気口側を相互間の防振構造部を有して結合し一体化したことを特徴とするドラム式洗濯乾燥機。
【請求項２】
送風手段とフィルタ室とは、フィルタ室の循環空気排出口と送風手段の吸気口との間にシール構造部を有し、このシール構造部の外まわりの複数箇所間を相互間の防振構造部を有して分離可能に締結し結合した請求項１に記載のドラム式洗濯乾燥機。
【請求項３】
締結は、送風手段とフィルタ室との互いに対向し合う締結座の一方に前記対向し合う方向に設けた凸軸と他方に設けた締結穴との嵌め合せ構造と、締結穴を有した締結座の反締結側に当てがう座金と前記凸軸との間で座金側からねじ締めして両締結座の対向部間を締結する締結構造とを有してなされ、防振構造部は、前記凸軸と締結穴との嵌まり合い部間と、前記両締結座の対向部間と、前記締結穴を有した締結座及び座金間と、に防振部材が介在している請求項２に記載のドラム式洗濯乾燥機。
【請求項４】
防振部材は、前記締結穴と凸軸との嵌まり合い部間に位置する筒部と、この筒部の両端部から外方に張り出し前記両締結座の対向部間と、前記締結穴を有した締結座及び座金間とに位置する２つのフランジ部と、を一体に有している請求項３に記載のドラム式洗濯乾燥機。
【請求項５】
２つのフランジ部は、その一方が全周に、他方は周方向複数箇所で放射状に、それぞれ張り出している請求項４に記載のドラム式洗濯乾燥機。
【請求項６】
送風手段及びフィルタ室は、相互の一体化によってフィルタ・送風ユニットをなしている請求項１〜５のいずれか１項に記載のドラム式洗濯乾燥機。
【請求項７】
送風手段は、そのケーシングに一体形成されて加熱手段を内蔵した加熱通路部と共にフィルタ室に結合されて、フィルタ・送風・加熱ユニットをなしている請求項６に記載のドラム式洗濯乾燥機。
【請求項８】
加熱通路部は、送風手段の排気口からフィルタ室との結合面方向に拡張して延びた拡張域に、それを横断するように短冊形の加熱手段を内蔵し、加熱手段より下流は加熱手段の下流側面が側方から臨む筒状通路としてある請求項７に記載のドラム式洗濯乾燥機。
【請求項９】
フィルタ室は、フィルタが出入りする上端開口部が洗濯乾燥機本体天面の着脱口に開口して洗濯乾燥機本体に固定され、前記上端開口部から下に設けられる循環空気を導入する循環空気導入口、および導入した循環空気をフィルタを通して排出する循環空気排出口よりも低位となる水溜め部を設け、この水溜め部に循環送風経路の加熱手段よりも下流に開口する水流出口を設け、この水流出口に循環送風経路の内面側から閉じる逆止弁を設けた請求項８に記載のドラム式洗濯乾燥機。
【発明の詳細な説明】
【技術分野】
【０００１】
本発明は、水槽内に水平方向もしくは水平方向から傾斜した方向に回転自在に支持された回転ドラム内で洗濯、すすぎ、脱水、乾燥の各工程を行うドラム式洗濯乾燥機に関するものである。
【背景技術】
【０００２】
このようなドラム式洗濯乾燥機は、図１に示す本発明の実施の形態のドラム式洗濯乾燥機１を参照して説明すると、多数の透孔８が形成され洗濯物を収容して回転駆動される回転ドラム２が水槽３内に設けられ、一般に、この水槽３内の給水、排水及び前記回転ドラム２の回転の制御により洗濯、すすぎ、脱水の各工程を実施すると共に、送風手段１５により水槽３内の空気を、除湿手段３１、加熱手段３２を備えた循環送風経路５を通して循環させることにより洗濯物の乾燥工程を実施するようになっている（例えば、特許文献１、２参照）。
【０００３】
ここで、除湿手段３１、加熱手段３２は、送風手段１５により水槽３内の空気を循環送風経路５に導入して除湿手段３１及び加熱手段３２を順次に通して熱交換することで除湿後に加熱した渇いた高温空気とし、これを水槽３内に送風して回転ドラム２内の洗濯物に曝すことを繰り返し効率よく乾燥させられるようにしている。
【０００４】
この乾燥工程で循環送風経路５を循環する循環空気には回転ドラム２内の洗濯物から分離した糸くずなどの異物が混入し、これが除湿手段３１や加熱手段３２に目詰まりしたり、送風手段の軸受部に噛み込んだり送風手段内各部に堆積したりして、機能不全を招く。このため、特許文献１、２に開示されているように循環送風経路の途中に異物を捕集するフィルタが設けられる。このフィルタは多くの場合特許文献１に開示されているように、ドラム、水槽からの循環空気を導入する循環空気導入管路における送風手段、除湿手段、加熱手段に対する上流側に設けられる。しかし、特許文献２は除湿手段を冷却水注入による凝縮方式を採用し、循環空気の除湿と同時に異物を加湿落下させられるようにしている技術上、注水熱交換部、送風手段、フィルタ、加熱手段の順に配置する構成を開示している。
【０００５】
いずれにしても、フィルタは捕集する異物が堆積して循環空気の通過抵抗が増大していくので、着脱できるように設けられる。特許文献１は洗濯乾燥機本体の前面の着脱口から、この着脱口を塞ぐ天板を有して直接着脱されるフィルタを開示している。また、特許文献１は乾燥風循環通路の吸込口側となるダクトを下方に延長した部分の途中を洗濯乾燥機本体の前面に開口させることで、フィルタを前面から着脱できるようにしたフィルタを開示している。特許文献２は洗濯乾燥機本体の天面に設けられた蓋付きの出し入れ口を通じ、蓋を開けた状態で加熱手段とフィルタ室が一体になった加熱・フィルタユニットに対してその着脱口から着脱されるフィルタを開示している。
【０００６】
特に、特許文献２に記載された加熱・フィルタユニットのように、乾燥工程に必要な機器をユニット化すると、洗濯乾燥機本体の組み立てにおける取り扱い部品が少なくなるし、コンパクト化ができ狭いスペースへの組み込みが楽になる。しかも、相互間の通路長さが短くなるので熱効率が向上する。
【特許文献１】特開平８−２４３２９２号公報
【特許文献２】特開２００２−２００３９５号公報
【発明の開示】
【発明が解決しようとする課題】
【０００７】
そこで、本発明者は送風手段について他の機器であるフィルタ室とユニット化することを着想した。しかし、送風手段は駆動モータと共に振動源であることから、特にボックス型となるフィルタ室との共鳴や共振があり、循環送風経路など他に影響しやすい問題に遭遇した。フィルタ室や送風手段が循環送風経路における周囲から浮いた途中部分に設けられる場合はそのような問題は特に顕著である。これにつき、本発明者は種々に実験をし検討を重ねた結果、好適に対応できる技術を開発するに至った。
【０００８】
本発明の目的はそのような開発に基づき、乾燥工程を実施する循環送風経路に設けられる送風手段及びフィルタを振動の問題なくユニット化したドラム式洗濯乾燥機を提供することにある。
【課題を解決するための手段】
【０００９】
上記目的を達成するための本発明のドラム式洗濯乾燥機は、多数の透孔が形成され洗濯物を収容して回転駆動される回転ドラムが水槽内に設けられ、この水槽内の給水、排水及び前記回転ドラムの回転の制御により洗濯、すすぎ、脱水の各工程を実施すると共に、送風手段により水槽内の空気を除湿手段及び加熱手段を備えた循環送風経路を通して循環させることにより洗濯物の乾燥工程を実施し、循環送風経路の途中に主として糸くずなどの異物を捕集するフィルタを着脱できるように装着するフィルタ室を備えてなるドラム式洗濯乾燥機において、送風手段は、フィルタ室の循環空気排出口側に吸気口側を相互間の防振構造部を有して結合し一体化したことを特徴とする。
【００１０】
このような構成によれば、乾燥工程において循環送風経路を循環する循環空気を、循環送風経路途中のフィルタ室に装着したフィルタに通して、糸くずなどの異物を捕集するのに、送風手段がその吸気口側でのフィルタ室の循環空気排出口側への互いに直結できるような一体化で、洗濯乾燥機本体の組み立て時の取り扱い部品点数を低減すると共に、コンパクト化を図り狭いスペースへの組み込みが容易となる。また、相互間の通路長さが短くなる分だけ熱効率が向上する。しかも、このような一体化の結合部分間に介在した防振構造部によって振動源である送風手段とフィルタ室との間で防振作用、吸振作用を発揮する。
【００１１】
送風手段とフィルタ室とは、フィルタ室の循環空気排出口と送風手段の吸気口との間にシール構造部を有し、このシール構造部の外まわりの複数箇所間を相互間の防振構造部を有して分離可能に締結し結合した、さらなる構成によれば、
送風手段はフィルタ室に対し、循環空気排出口と吸気口との間にシール構造部を有するだけで、その外まわりの複数箇所間の締結によりシール性を満足して接続し、かつ締結部分間に防振構造部を構成することができる。また、送風手段およびフィルタ室は締結部分で分離してそれぞれ個別に補修や交換などのメンテナンスができる。
【００１２】
締結は、送風手段とフィルタ室との互いに対向し合う締結座の一方に前記対向し合う方向に設けた凸軸と他方に設けた締結穴との嵌め合せ構造と、締結穴を有した締結座の反締結側に当てがう座金と前記凸軸との間で座金側からねじ締めして両締結座の対向部間を締結する締結構造とを有してなされ、防振構造部は、前記凸軸と締結穴との嵌まり合い部間と、前記両締結座の対向部間と、前記締結穴を有した締結座及び座金間と、に防振部材が介在している、さらなる構成によれば、
送風手段とフィルタ室との締結し合う締結座同士の、凸軸と締結穴との嵌め合せとその嵌め合い部間への防振部材の挿入圧とを利用した防振部材による径方向の逃げの少ない弾性支持作用と、締結構造及びその締結される締結座同士の対向部間と締結穴を持った締結座と座金間での締結圧を利用した防振部材による締結方向ないしは軸方向の逃げの少ない弾性支持作用と、によって、送風手段はフィルタ室に対しどの方向にも防振部材によって振動の伝達を断たれ、また送風手段自身に対する吸振がなされるので、効果的な防振が図れる。
【００１３】
防振部材は、前記締結穴と凸軸との嵌まり合い部間に位置する筒部と、この筒部の両端部から外方に張り出し前記両締結座の対向部間と、前記締結穴を有した締結座及び座金間とに位置する２つのフランジ部と、を一体に有している、さらなる構成によれば、
１つの防振部材によって締結し合う締結座同士の嵌め合い構造における軸穴嵌め合い部間には筒部が、締結構造における締結座間及び締結座と座金間には前記筒部の両端部のフランジ部が位置して前記防振作用を営ませることができ、締結座の締結穴の一方から防振部材の一方のフランジ部などを他方へ潜らせて装着し締結に供するだけで前記のように効果的な相互間防振作用、および送風手段に対する吸振作用が得られる。
【００１４】
２つのフランジ部は、その一方が全周に、他方は周方向複数箇所で放射状に、それぞれ張り出している、さらなる構成によれば、
放射状に張り出す複数のフランジ部の側で締結穴に潜らせやすくすることができる。
【００１５】
送風手段及びフィルタ室は、相互の一体化によってフィルタ・送風ユニットをなしている、さらなる構成によれば、
送風手段及びフィルタ室がフィルタ・送風ユニットをなすことで、洗濯乾燥機本体の組み立てにおける取り扱い部品点数の削減が図れる。
【００１６】
送風手段は、そのケーシングに一体形成されて加熱手段を内蔵した加熱通路部と共にフィルタ室に結合されて、フィルタ・送風・加熱ユニットをなしている、さらなる構成によれば、
送風手段が加熱手段とケーシングを共有して短い通路で繋がるいわば送風・加熱ユニットをなしてフィルタ室と一体化され、３つの機器が短い通路で繋がるフィルタ・送風・加熱ユニットとなることで、洗濯乾燥機本体の組み立て時の取り扱い部品点数をさらに低減することができるし、さらなるコンパクト化、高熱効率化が図れる。
【００１７】
加熱通路部は、送風手段の排気口からフィルタ室との結合面方向に拡張して延びた拡張域に、それを横断するように短冊形の加熱手段を内蔵し、加熱手段より下流は加熱手段の下流側面が側方から臨む筒状通路としてある、さらなる構成によれば、
送風手段及びその下流の加熱通路部が極めて短くコンパクトに繋がり、しかも、循環空気の加熱手段に対する通過面積を大きくとって熱交換域効率を高めながら、熱交換後の高温空気を水槽を介して回転ドラム内に供給することができる。
【００１８】
フィルタ室は、フィルタが出入りする上端開口部が洗濯乾燥機本体天面の着脱口に開口して洗濯乾燥機本体に固定され、前記上端開口部から下に設けられる循環空気を導入する循環空気導入口、および導入した循環空気をフィルタを通して排出する循環空気排出口よりも低位となる水溜め部を設け、この水溜め部に循環送風経路の加熱手段よりも下流に開口する水流出口を設け、この水流出口に循環送風経路の内面側から閉じる逆止弁を設けた、さらなる構成によれば、
フィルタは比較的背の高い洗濯乾燥機本体の天面にて着脱することにより人などが不用意に引っ掛かって弛むようなことを回避しやすい条件を満足して、かつ、洗濯乾燥機本体の天面に開口した着脱口からそこに上端開口部が開口するフィルタ室内に上方から直接、容易かつ簡単に着脱することができる。特に、フィルタ室は洗濯乾燥機本体に固定されて防振構造部を介しモータが付帯した比較的重量のある送風手段を確固に支持してそれら及びそれらに繋がる循環送風経路を振動し難くし、しかも防振構造部によって送風手段側の振動が影響するのを防止されて、フィルタ室は勿論、フィルタ室に繋がる除湿通路部、フィルタ室を固定している洗濯乾燥機本体などが共鳴や共振などしないし、防振構造部は洗濯乾燥機本体に固定されたフィルタ室上で送風手段自体に対しての吸振作用も発揮するので、送風手段に繋がる加熱通路部に及ぶ振動も低減でき、高い静音性が確保できる。
【発明の効果】
【００１９】
本発明によれば、乾燥工程において循環送風経路を循環する循環空気をフィルタ室に装着したフィルタに通して糸くずなどの異物を捕集するのに、送風手段及びフィルタ室の吸気口および循環空気排出口が対向し合う直結できるような一体化で、洗濯乾燥機本体の組み立て時の取り扱い部品点数を低減できるし、コンパクト化により狭いスペースへの組み込みが容易となり、また、相互間の通路長さが短くなる分だけ熱効率が向上する。しかも、一体化の結合部分間に介在させるだけの簡単な防振構造部によって振動源である送風手段とフィルタ室との間の防振作用、送風手段に対する吸振作用を発揮して、それらに繋がる循環送風経路部分を含めた振動および共振を抑え静音性が確保される。
【発明を実施するための最良の形態】
【００２０】
本発明の実施形態に係る図１に示すドラム式洗濯乾燥機１は、洗濯乾燥機本体４４内に図示しないサスペンション構造によって水槽３が宙吊り状態に配設され、水槽３内に有底円筒形に形成された回転ドラム２がその軸心方向を正面側から背面側に向けて下向きに傾斜させて配設されている。水槽３の正面側には回転ドラム２の開口端に通じる衣類出入口１１が形成され、洗濯乾燥機本体４４の正面側に形成された上向き傾斜面に設けられた開口部を開閉可能に閉じる扉９を開くことにより、前記衣類出入口１１を通じて回転ドラム２内に対して洗濯物を出し入れすることができる。扉９が上向き傾斜面に設けられているため、洗濯物を出し入れする作業を腰を屈めることなく実施でき、一般には横向きにある開口部から洗濯物を出し入れするドラム式洗濯機の作業性の悪さが改善されている。
【００２１】
回転ドラム２には、その周面に水槽３内に通じる多数の透孔８が形成され、内周面の複数位置に攪拌突起（図示せず）が設けられている。この回転ドラム２は水槽３の背面側に取り付けられたモータ７によって正転及び逆転方向に回転駆動される。また、水槽３には、図示しに注水管路及び排水管路が配管接続され、注水弁及び排水弁の制御によって水槽３内への注水及び排水がなされる。
【００２２】
扉９を開いて回転ドラム２内に洗濯物及び洗剤を投入してドラム式洗濯乾燥機１の運転を開始させると、水槽３内には注水管路から所定量の注水がなされ、モータ７により回転ドラム２が回転駆動されて洗濯工程が開始される。回転ドラム２の回転により、回転ドラム２内に収容された洗濯物は回転ドラム２の内周壁に設けられた攪拌突起によって回転方向に持ち上げられ、持ち上げられた適当な高さ位置から落下する攪拌動作が繰り返されるので、洗濯物には叩き洗いの作用が及んで洗濯がなされる。所要の洗濯時間の後、汚れた洗濯液は排水管路から排出され、回転ドラム２を高速回転させる脱水動作により洗濯物に含まれた洗濯液を脱水し、その後、水槽３内に注水管路から注水してすすぎ工程が実施される。このすすぎ工程においても回転ドラム２内に収容された洗濯物は回転ドラム２の回転により攪拌突起により持ち上げられて落下する攪拌動作が繰り返されてすすぎ洗いが実施される。
【００２３】
このドラム式洗濯乾燥機１には、回転ドラム２内に収容した洗濯物を乾燥する機能が設けられ、図１に示すような水槽３内の空気を排気して除湿し、加熱した乾燥した空気を再び水槽３内に送風する既述した循環送風経路５が形成されている。この循環送風経路５の途中には図１に示すように除湿手段３１、加熱手段３２及び送風手段１５が設けられるのが既述したように一般的であり、この送風手段１５を回転駆動することにより、循環送風経路５に空気の流れが発生して洗濯物を収容した回転ドラム２内の空気は透孔８を通じて水槽３から送風手段１５側へ排気され、送風手段１５の上流に位置する除湿手段３１に水分を結露させて除湿することと、加熱手段３２との熱交換により加熱することとで常に乾燥した高温の空気とされる。この乾燥した高温の空気は送風手段１５から水槽３へ送り出されて水槽３内に送風される。水槽３内に送風された高温の乾燥空気は透孔８を通じて回転ドラム２内に入って衣類などの洗濯物に曝されながら水槽３へと抜け、再度送風手段１５の側へと導入され、以上の循環送風経路５での空気の図１に矢印で示すような循環の繰り返しにより乾燥工程が実施される。
【００２４】
また、この循環送風経路５を利用した乾燥工程では、循環送風経路５を循環される循環空気中に主として衣類などの洗濯物から発生する糸くずなどの異物が混じって循環し、除湿手段３１や加熱手段３２の目詰まり、送風手段１５の回転部への噛み込み、送風手段１５の内面への堆積といった乾燥工程を実施するのに支障を来しやすく、面倒なメンテナンスを頻繁に行う必要があることから、循環送風経路５の途中、一例としては除湿手段３１、加熱手段３２、送風手段１５の上流側となる、例えば図１に示すような送風手段１５の上流側に、循環空気中の異物を除去する主フィルタ３５を収容したフィルタ室３６を設けることが一般的になっている。これによって、洗濯物を乾燥させた後の空気に異物が混入して除湿手段３１側に導入されてきても、フィルタ室３６を通る際に主フィルタ３５によって捕集され、下流側への循環空気に混入することはない。従って、送風手段１５、加熱手段３２、除湿手段３１の機能が長期に保全される。しかし一方では、フィルタ室３６内の主フィルタ３５には捕集された異物が堆積して循環空気の通過抵抗が徐々に増していき、乾燥機能を低下させる問題があるので、主フィルタ３５は既述した特許文献１、２に記載のように着脱できるように設けられる。
【００２５】
なお、除湿手段３１、加熱手段３２は蒸発器、凝縮器の組み合わせとして冷媒を循環させる冷媒回路で接続した圧縮機と共に空気調和機を構成するものとしてもよいが、本実施の形態では除湿手段３１は図示しない給水弁からの水の噴霧等により冷却された熱交換板としてあり、水分を含む循環空気と接触して水分を結露させて除湿する。加熱手段３２はヒータとしてある。送風手段１５は図２に示すようなシロッコタイプのブロワとしてある。
【００２６】
前記主フィルタ３５を設けるのに、本実施の形態では、特に、特許文献１、２に記載のもののような問題を解消するため、主フィルタ３５で代表するフィルタ９１は、洗濯乾燥機本体４４の天面４４ａに開口する図２、図３に示す着脱口５１から、下部より上部へ前方に傾斜した着脱経路５２でフィルタ室３６に対し着脱するようにしている。このようにすれば、乾燥工程において循環送風経路５を循環する循環空気を、循環送風経路５途中のフィルタ室３６に装着した主フィルタ３５に通して、糸くずなどの異物を捕集するのに、主フィルタ３５は比較的背の高い洗濯乾燥機本体４４の天面４４ａにて着脱することにより人などが不用意に引っ掛かって弛むようなことを回避しやすい条件を満足して、しかも、洗濯乾燥機本体４４の天面４４ａに開口した着脱口５１から、特許文献２に記載のもののような垂直な着脱経路での着脱であることによりその着脱力に前方への拗れ成分が生じやすいものに比し、拗れの生じ難い下部より上部へ前方に傾斜した着脱経路５２に沿った方向で難なくスムーズに着脱できる。それには、着脱口５１からこれに続くフィルタ室３６が主フィルタ３５の所定位置への着脱ストロークの全長にて傾斜した着脱経路５２により案内できるようにするのが好適である。
【００２７】
また、主フィルタ３５は図２に示すように、前記着脱口５１を塞ぐ天板５３を有し、この天板５３に閉じばね５４に抗して上方から押し開く蓋５５を持った手掛り凹部５６を有したものとしている。これにより、主フィルタ３５の着脱口５１を通じた装着によって、その最終に着脱口５１を天板５３で塞いで外観を図に示すようなほぼ面一状態にするなど、美観よく整え、また、人などがより引っ掛かり難くすることができるし、天板５３に設けた手掛り凹部５６に手指を掛けて安定に引き出し装着できる。特に、この手掛り凹部５６に閉じばね５４が働く蓋５５によって常時閉じておくので、手掛り凹部５６が人などの不用意な引っ掛かりの原因になりにくいし、主フィルタ３５の着脱時は手掛り凹部５６に手指をかける動作で蓋５５を押し開けるので特別な作業なしに手指を掛けて主フィルタ３５を容易かつ簡単に着脱できる。しかも、手掛り凹部５６はその開口の前部に手指を掛ける後ろ向きの手掛り縁５６ａを形成し、この手掛り縁５６ａは天板５３の前後方向ほぼ中央ないしはやや前部寄りに位置している関係から、手掛り凹部５６に手指を掛けるのに、その開口の前部に後ろ向きになった手掛り縁５６ａを有していることにより、前方から洗濯乾燥機本体４４の天面４４ａ上に腕を延ばして手掛り凹部５６に手指を入れて折り曲げる自然な動作で簡単に、しかも滑りなく手掛り縁５６ａに引っ掛かって主フィルタ３５を容易かつ確実に引き出せるし、手掛り縁５６ａに引っ掛けた手指部と天板５３の外面に沿う掌部とで天板５３を挟み持ち主フィルタ３５を安定に把持して、引出し後の持ち運びなどの取り扱いもフィルタ室３６への装着も容易に安定してできる。さらに、蓋５５はその後部が手掛り凹部５６の開口の後部にヒンジピン５７によりヒンジ連結されているので、手掛り凹部５６に手指を入れる際の蓋５５の押し開きにより手掛り縁５６ａを開放してそのまま手指を掛けられるので、着脱のための手掛り凹部５６、手掛り縁５６ａに対する指掛け作業が連続した一挙動にて簡単に行える。
【００２８】
さらに詳述すると主フィルタ３５は図２に示すように、天板５３からフィルタ室３６の内面に沿って下方に延びるように一体成形するか連結した籠形の主支持枠７１に主フィルタ材７９を支持してフィルタ室３６の循環空気排出口７２の内側に位置させ、主支持枠７１の天板５３下部分の外周にシリコンゴムなどよりなるシールパッキン７３を装着して、主フィルタ３５のフィルタ室３６の所定位置への装着時に前記シールパッキン７３が着脱口５１の内側の内周にある段部７４に圧接してフィルタ室３６を密閉するようにしてあり、主フィルタ３５とフィルタ室３６との間には主フィルタ３５の所定位置への装着時に弾性的に係合し合う図示しない弾性係合部を設けてある。これにより、天板５３で着脱口５１を塞ぐように主フィルタ３５をフィルタ室３６に装着するだけで、天板５３から下方に延びる主支持枠７１が主フィルタ材７９を伴いフィルタ室３６に挿入でき、所定の装着位置で主支持枠７１の天板５３下部分の外周に設けたシールパッキン７３の着脱口５１の内側の内周の段部７４への圧接と、弾性係合部の弾性係合とによってフィルタ室３６を密閉状態に維持するとともに、主フィルタ材７９をフィルタ室３６の循環空気排出口７２の内側に正しく位置決めできる。
【００２９】
天面４４ａをなす上面板４４ｂに開口する着脱口５１は図２、図３に示すように、天面４４ａから立ち上がる堰き部４４ｃを全周囲に有し、この堰き部４４ｃの内側に装着した主フィルタ３５の天板５３を嵌め合わせる凹部４４ｄを有したものとしている。これにより、天板５３が凹部４４ｄから単独で天面４４ａに突出しないようにして人などが引っ掛からないようにできるし、天面４４ａ上に水が少々こぼれ落ちても堰き部４４ｃにて堰き止め着脱口５１に進入するのを阻止し、洗濯乾燥機本体４４内の電気装備品を損なうのを防止できる。また、天板５３は、外周に下向きに突出する凸壁５３ａを有し、凹部４４ｄはその周壁４４ｅと内周の上向き凸部４４ｆとの間に前記凸壁５３ａを受け入れる印籠合わせとなる嵌め合せを有して天板５３を受載するようになっており、万一にも着脱口５１に水が侵入してきても、凹部４４ｄでの天板５３との印籠嵌め構造によるシール機能にて着脱口５１の内側にまで及ぶのを防止でき、電気装備品のさらなる安全が図れる。さらに、天板５３は、前記堰き部４４ｃよりもやや低くなるようにしている。これによって、水が堰き部４４ｃの上に及んでも水の表面張力によって段落ちしている天板５３側への濡れ移りを抑止することができ、これによっても電気装備品の安全が高まる。図示しないが着脱口５１とフィルタ室３６の上端の開口３６ｄとの間もシールパッキンなどでシールするのが循環送風経路5外に水が漏れ出すのを防止するのに好適である。
【００３０】
しかし、着脱口５１のまわりに堰き部４４ｃを乗り越える程度の水がこぼれ落ちると、堰き部４４ｃと天板５３との間に容易に及んで着脱口５１からフィルタ室３６に侵入しやすいし、天板５３は着脱口５１を覆うことと、着脱口５１との間の印籠合わせ構造とによって、着脱口５１を通じたフィルタ室３６への水の侵入を防止するが、天板５３上に水がこぼれ落ちると着脱口５１を通じフィルタ室３６に水が侵入しやすい。
【００３１】
フィルタ室３６に水が侵入すると、それが循環送風経路５を通じ水に対して問題となる電気装備品である送風手段１５やヒータである加熱手段３２などに及んで損なうことが考えられる。特に、本実施の形態では図１、図２、図４、図５に示すように、加熱手段３２を内蔵した加熱通路部５ａが送風手段１５と共通のケーシング１０１を有した一体構造とし、これをフィルタ室３６とねじ４８により結合して加熱手段３２、送風手段１５及びフィルタ室３６の３つが短い通路で接続したコンパクトなフィルタ・加熱・送風ユニット１０２となるようにしてあり、洗濯乾燥機本体４４の組み立てにおける取り扱い部品点数の削減が図れるほか、図１に示すように加熱通路部５ａは水槽３の近い部分に接続できるし、残るフィルタ室３６と水槽３との間は除湿手段３１を内蔵した短い除湿通路部５ｂで接続できるので、循環送風経路５が短くなり、熱効率のよいものとなる利点はあるが、フィルタ室３６に侵入した水が送風手段１５や加熱手段３２に及びやすい。
【００３２】
これに対処するため、本実施の形態では図１、図２、図３に示すように、フィルタ室３６はフィルタ９１を出入りさせる上端の開口３６ｄ部が洗濯乾燥機本体４４の天面４４ａの着脱口５１に開口する条件の基に、開口３６ｄ部から下に設けられる循環空気を導入する循環空気導入口７８、および導入した循環空気をフィルタ９１を通して排出する循環空気排出口７２よりも低位となる水溜め部１０３を設け、この水溜め部１０３に循環送風経路５の加熱手段３２よりも下流に通じる水流出口１０４を設け、この水流出口１０４に循環送風経路５の内面側から閉じる逆止弁１０５を設けている。これにより、フィルタ室３６はその上端の開口３６ｄが洗濯乾燥機本体４４の天面４４ａの着脱口５１に開口していることで、天面４４ａへの落ち水などが着脱口５１を通じて侵入しても、図２に破線矢印で示すようにフィルタ室３６の開口３６ｄ部から下に設けられる循環空気導入口７８および循環空気排出口７２よりも低位に有した水溜め部１０３へ伝い落ちてそこに溜められやすくしながら、溜まった水を水流出口１０４を通じ逆止弁１０５をその開き方向に通過して循環送風経路５の加熱手段３２の下流に流れ込ませることができる。従って、進入した水が水槽３内に及ぶことはあっても上流側となる加熱手段３２や送風手段１５には除湿手段３１を経ずに及んで問題となる確率を低減することができる。併せ、循環送風経路５外の電気装備機器に及ぶようなことを回避することができる。また、逆止弁１０５は循環送風経路５側からフィルタ室３６側への循環空気の逆流を閉止習性またはおよび循環空気の送風圧による閉止にて防止するので、乾燥した高温空気の循環による乾燥工程を阻害することはない。具体的には、水流出口１０４は図２に示すように、フィルタ室３６における貯留部１０３ａの後部壁に後方へ突出した筒状に開口して設け、加熱通路部５ａの対向壁に設けた前方に突出する筒状に開口した導入口１０６に嵌め合わせて相互間をシール１０７によりシールして加熱通路部５ａにおける加熱手段３２の下流直後の位置に開口ないしは通じるようにしてある。逆止弁１０５は、弾性による閉じ習性を有した板部材、具体的にはゴム板よりなり、水流出口１０４またはおよび導入口１０６に加熱通路部５ａの内側から当てがい外周一部の図２、図４、図５に示す矩形なフック部１０５ａを加熱通路部５ａの取り付け穴１０８に弾性的に嵌め入れて止着している。
【００３３】
また、水溜め部１０３は図２、図６に示すように、フィルタ室３６の循環空気導入口７８が設けられる前部壁と循環空気排出口７２が設けられる後部壁との間の底部全範囲がなし、循環空気排出口よりも側方に外れた範囲が深い貯留部１０３ａとなり、そこに水流出口１０４を有したものとしている。このようにすると、フィルタ室３６が循環空気導入口７８から循環空気を導入してフィルタ９１を通し循環空気排出口７２から排出するための循環空気導入スペースおよびフィルタ収容スペースの全容量に見合う底部広さを利用した水溜め部１０３にて比較的多くの侵入水を溜められる。特に、水溜め部１０３が循環空気排出口７２の側方に外れて深くなる貯留部１０３ａを有することでさらに容量を増して多量な水の侵入にも対応できるようにしながら、その貯留部１０３ａに優先的に水を溜めることで水位が高くなってもフィルタ室３６から循環空気排出口７２へ排出される循環空気に随伴されにくくして、しかも、貯留部１０３ａの水を優先的に水流出口１０４から加熱通路部５ａへ流出させて水が溜まりにくくすることができる。
【００３４】
さらに、フィルタ室３６の循環空気導入口７８と循環空気排出口７２とは図５、図６に示すように、互いに対向し合わない位置関係を満足していることにより、循環送風経路５を循環空気が循環している乾燥工程においてフィルタ室３６に水が侵入して循環空気導入口７８から導入される循環空気に吹き飛ばされるにしても、導入された循環空気が循環空気導入口７８に対向していない循環空気排出口７２へはストレートに向わず、図２、図６に実線矢印で示すように曲がった経路で向うので、吹き飛ばされる水は衝突や遠心による気液分離を受けてフィルタ室３６内に残って水溜め部１０３、貯留部１０３ａに溜められやすく、その分だけ送風手段１５や加熱手段３２に及びにくくなる。
【００３５】
特に、循環空気導入口７８および循環空気排出口７２は、左右方向に位置ずれし、循環空気導入口７８は水溜め部１０３の特に貯留部１０３ａの上に位置しているので、循環空気は循環空気導入口７８からフィルタ室３６の左右方向における循環空気排出口７２のない側に導入されてから循環空気排出口７２の側に向うときの後部壁への衝突と進路の左右方向への屈曲時の遠心力とによる気液分離をして水溜め部１０３の特に深い貯留部１０３ａの側で図って、水溜め部１０３の特に貯留部１０３ａに伝い落ちさせてそこに優先的に貯留されやすくすること、及びフィルタ室３６の循環空気導入口７８側から循環空気排出口７２側に至って排出されるときの側壁との衝突と進路の前後方向への曲り時の遠心力による気液分離を図って水溜め部１０３に伝い落せて、その伝い落ち位置が貯留部１０３ａから循環空気排出口７２側になっても、貯留部１０３ａでの水位の方が低い間は貯留部１０３ａへ流れ落ちさせて貯留し循環空気排出口７２から排出される循環空気に再度随伴するようなことを防止しやすくすることが、フィルタ室３６の左右の拡がりを利用した長い経路にて有利に行える。
【００３６】
併せ、循環空気導入口７８は循環空気排出口７２よりも上に位置ずれしていることにより、循環空気導入口７８からフィルタ室３６に導入された循環空気が循環空気排出口７２に向う循環気流の進路はフィルタ室３６の上部から下部へも変化するので、フィルタ室３６の左右上下の拡がりを利用したさらに長い経路での衝突、遠心力により気液分離機能が高まる。
【００３７】
なお、既述したようにフィルタ室３６の内面に沿って主フィルタ材７９を支持する主支持枠７１を持った主フィルタ３５は、以上のようなこのようなフィルタ室３６内の上下左右の拡がりを利用した気液分離を阻害せず好適である。具体的には図１に示すように、主支持枠７１は、フィルタ室３６の上半部３６ｂに設けられた循環空気導入口７８から循環空気を導入する上半部７１ｂと、フィルタ室３６の下半部３６ｃに設けられた循環空気排出口７２に対応する主フィルタ材７９を支持した下半部７１ｃとを有し、循環空気導入口７８からフィルタ室３６および主支持枠７１の上半部３６ｂ、７１ｂに循環空気を導入してフィルタ室３６および主支持枠７１の下半部７１ｃへとフィルタ室３６の少なくとも上下左右の拡がりを利用した曲がった経路にて気液分離を伴い向わせながら循環空気排出口７２からスムーズに排出させられる。
【００３８】
また、主フィルタ材７９は必要に応じ、循環空気導入口７８に掛からず、またバイパスさせないことを条件に、循環空気排出口７２に対応する範囲はもとより、図２に示すように循環空気排出口７２を外れる広域に主フィルタ材７９を設けて図２に実線矢印で示すように循環空気排出口７２に向う循環空気を通すのにフィルタ室３６の広さを利用することができる。これにより、主フィルタ材７９の循環空気の通過面積が増大する分だけ目詰まりしにくいものとなっている。
【００３９】
しかも、本実施の形態のフィルタ９１は図２に示すように、フィルタ室３６の循環空気導入口７８から入り循環空気排出口７２へ排出される循環空気に対し先に働くようにした主フィルタ３５に対し、その後に働くバックアップフィルタ８２との二重フィルタ構造としてある。これにより、バックアップフィルタ８２は主フィルタ３５よりも先に装着して後で取り出され、主フィルタ３５はバックアップフィルタ８２よりも後で装着され先に取り出される関係を有して設けてあり、バックアップフィルタ８２のフィルタ室３６の奥側となる下半部３６ｃからの単独の取り出しのために、前部壁に内側から手指を掛けられる手掛り凹部１３３を設けてある。バックアップフィルタ８２の装着はフィルタ室３６に上方から滑り込ませるだけで着脱経路５２によって所定位置まで案内される。
【００４０】
このために、主フィルタ３５における主支持枠７１の下半部７１ｃの外まわりにバックアップフィルタ８２におけるフィルタ室３６の下半部３６ｃの内面に沿う籠形の副支持枠１１０を持ったバックアップフィルタ８２が被さって主フィルタ材７９の外側に副フィルタ材８３を支持するようにしてある。これによってバックアップフィルタ８２がフィルタ室３６の下半部３６ｃに装着された後主フィルタ３５がフィルタ室３６の上半部３６ｂとそれに続くバックアップフィルタ８２の内側に装着されて、フィルタ室３６に導入した循環空気は主フィルタ３５の主フィルタ材７９、バックアップフィルタ８２の副フィルタ材８３を二重に通過して循環空気排出口７２に抜ける二重フィルタ構造を満足することができる。これによって、薄く空気抵抗の少ない主フィルタ材７９および副フィルタ材８３にて細かな糸くずなどの異物を確実に捕集するので、除湿手段３１、加熱手段３２、送風手段１５などの機器の機能の高い保全性能が得られるし、ほとんどの異物は先に通過する主フィルタ材７９によって捕集されるので、目詰まりは主フィルタ材７９の側で頻繁に生じ、副フィルタ材８３の側での目詰まりの回数は主フィルタ材７９の場合に比し極端に少なくなる。
【００４１】
このような、主フィルタ３５と、バックアップフィルタ８２との二重フィルタ構造に対応して、バックアップフィルタ８２には図２に示すように、バックアップフィルタ８２とフィルタ室３６の循環空気排出口７２側とを独立排気スペース９５とし、主フィルタ３５とバックアップフィルタ８２との間を独立排気スペース９６とするためのシールパッキン９４を設けている。これにより、フィルタ室３６、主支持枠７１の上半部７１ｂに導入した循環空気は、バイパスすることなく主フィルタ３５とバックアップフィルタ８２との間の独立排気スペース９６、バックアップフィルタ８２とフィルタ室３６の循環空気排出口７２側との間の独立排気スペース９５を図５に矢印で示すように順次に通過して二重フィルタ構造の異物除去後に循環空気排出口７２へと抜けて循環する。
【００４２】
さらに、主フィルタ３５及びバックアップフィルタ８２は図２に示すように、それぞれマグネット１１１、１１２を内蔵するなどして備え、フィルタ室３６は図６に示すように、主フィルタ３５及びバックアップフィルタ８２が所定位置に装着されたときそれらのマグネット１１１、１１２と個別に対向して応動し外部に電気信号を出力する１対のフィルタ検出スイッチを内蔵したフィルタ検知装置１１３を備えている。これにより、操作パネル６６の内側に設けた制御基板６７などによる制御で、主フィルタ３５、バックアップフィルタ８２の双方が装着されていなければ、使用を禁止するようにすることができ、天板５３のない状態で水がストレートに進入してしまうような状態での使用も禁止できる。
【００４３】
ここで、フィルタ室３６が洗濯乾燥機本体４４における天面４４ａの着脱口５１に上端の開口３６ｄを開口させる構造に関連して、フィルタ室３６は洗濯乾燥機本体４４に固定している。具体的には、図９に示すように洗濯乾燥機本体４４の金属製の枠組みである筐体１５１に固定される上面板４４ｂに対してねじ１５５により上方から固定するようにしている。さらに詳述すると、フィルタ室３６は筐体１５１にどの方向にも移動できるように仮置きしておき、着脱口５１とフィルタ室３６とは前記センタリングのために上方から挿入する位置決め治具１５３によって互いをセンタリングした状態でねじ１５５によりねじ止めし固定できるようにしている。位置決め治具１５３は位置決め用脚部１５３ａの上端に位置決め用脚部１５３ａのまわりへフランジ状に張り出す頭部１５３ｂを有して、この頭部１５３ｂが着脱口５１の凹部４４ｄに嵌り合って当接した状態とすることでセンタリングが完了したことを示すようにしてあり、センタリング不良となるのを防止しやすくしている。この結果、位置決め治具１５３の頭部１５３ｂは上面板４４ｂに設けられる取付孔１５６を覆ってしまうことになるので、取り付け孔１５６を露出させねじ１５５によるねじ止め作業を可能にする切り欠き１５３ｃを設けてある。フィルタ室３６のねじ１５５によるねじ止め部はボス部１５７としてねじ１５５による締結強度を高めてある。
【００４４】
一方、筐体１５１と上面板４４ｂとの締結は、上面板４４ｂに設けた取り付け孔１５６を通じ、筐体１５１に設けられたねじ孔１５９に対しねじ１５８を上方からねじ込んで行うようにしてある。取り付け孔１５６に対しても位置決め治具１５３の頭部１５３ｂに切り欠き１５３ｃを設けてねじ止めが行えるようにしている。
【００４５】
ここで、上面板４４ｂは筐体１５１に固定されて洗濯乾燥機本体４４の天面部を含む上部まわりを形成する上面基板４４ｂ１と、この上面基板４４ｂ１の上に当てがって洗濯乾燥機本体４４の天面４４ａをなす補助上面板４４ｂ２とで構成してあり、前記着脱口５１まわりでのねじ１５８による固定は、上面基板４４ｂ１および補助上面板４４ｂ２を二重にして筐体１５１に対し同時に固定している。また、フィルタ室３６のねじ１５５による上面板４４ｂに対する固定も、二重になった上面基板４４ｂ１および補助上面板４４ｂ２に対して同時に固定している。もっとも、上面基板４４ｂ１や補助上面板４４ｂ２は着脱口５１に対して広いので、着脱口５１まわり以外においても必要に応じ筐体１５１などにねじや嵌め合わせなどを利用して固定することができる。また、フィルタ室３６の固定は、上面板４４ｂを筐体１５１に対し上方からねじ１５８により締結したときの筐体１５１と上面板４４ｂとの挟み付けを伴なって行うことができ、上面板４４ｂを筐体１５１にねじ１５８により締結して固定する際の上面板４４ｂと筐体１５１とに生じる挟持力を利用して、フィルタ室３６を直接または間接に挟み付け本固定することで、フィルタ室３６の上面板４４ｂへのねじ１５５の締結による本固定の箇所を少なくし、あるいは無くすこともできる。
【００４６】
さらに、送風手段１５は駆動モータ１２２と併せ振動源であることに対し、それ単独または加熱手段３２を含んだケーシング１０１の図１、図２、図４〜図６に示し、既述したフィルタ室３６との一体化において、フィルタ室３６の循環空気排出口７２側に吸気口１２１側を相互間の防振構造部４３を有してねじ４８の締結により結合し一体化している。これにより、送風手段１５がその吸気口１２１側でのフィルタ室３６の循環空気排出口７２側への互いに直結できるような一体化で、洗濯乾燥機本体４４の組み立て時の取り扱い部品点数を低減すると共に、コンパクト化を図り狭いスペースへの組み込みが容易となる。また、相互間の通路長さが短くなる分だけ熱効率が向上する。また、このような一体化の結合部分間に介在した防振構造部４３によって振動源である送風手段１５とフィルタ室３６との間で防振作用、吸振作用を発揮し、それらに繋がる循環送風経路５の部分を含めた振動および共振を抑え静音性が確保される。しかも、ねじ４８による締結を解いて送風手段１５及びフィルタ室３６を分離して、必要な側の交換や補修といったメンテナンスが個別にできる。
【００４７】
特に、フィルタ室３６は洗濯乾燥機本体４４に固定されていることで、それに結合している駆動モータ１２２を持った比較的重量のある送風手段１５をそれらに繋がる循環送風経路５の部分と共に振動し難く安定に支持することができるし、防振構造部４３によって送風手段１５側の振動がフィルタ室３６の側に影響するのを防止されて、フィルタ室３６やそれに繋がる除湿通路部５ｂ、フィルタ室３６を固定している洗濯乾燥機本体４４が共鳴や共振などしない。また、防振構造部４３は洗濯乾燥機本体４４に固定された安定なフィルタ室３６上で送風手段１５自体に対しての吸振作用も発揮するので、加熱通路部５ａに及ぶ振動も低減でき、高い静音性が確保できる。
【００４８】
前記のねじ４８による締結は、図２に示すような送風手段１５およびフィルタ室３６における循環空気排出口７２と吸気口１２１との間のシール１２３を設けたシール構造部の外まわりの、図４に示すような複数箇所間、具体的には３箇所間を相互間にて行っている。このため、送風手段１５は単独または加熱通路部５ａを伴ってフィルタ室３６に対し、循環空気排出口７２と吸気口１２１との間にシール構造部を有するだけで、その外まわりの複数箇所間のねじ４８の締結によりシール性を満足して接続されるし、その締結を利用して防振構造部４３が得られる。
【００４９】
さらに詳述すると、図７に示すように、締結は、送風手段１５とフィルタ室３６との互いに対向し合う締結座１５ｇ、３６ｇの一方具体的にはフィルタ室３６に前記対向し合う方向に設けた凸軸３６ｈと他方具体的には送風手段１５に設けた締結穴１５ｈとの嵌め合せ構造を有してなされる。このような締結構造に対応して防振構造部４３は、締結穴１５ｈを有した締結座１５ｇの反締結側に当てがう座金４６と前記凸軸３６ｈとの間で座金４６側からねじ４８にてねじ締めして両締結座１５ｇ、３６ｇの対向部間を締結する締結構造とを有してなされ、防振構造部４３は、前記凸軸３６ｈと締結穴１５ｈとの嵌まり合い部間と、前記両締結座１５ｇ、３６ｇの対向部間と、前記締結穴１５ｈを有した締結座１５ｇ及び座金３４間と、にブチレンゴムなどよりなる防振部材４７が介在して構成している。
【００５０】
これにより、送風手段１５とフィルタ室３６との締結し合う締結座１５ｇ、３６ｇ同士の、凸軸３６ｈと締結穴１５ｈとの嵌め合せとその嵌め合い部間への防振部材４７の挿入圧とを利用した防振部材４７による径方向の逃げの少ない弾性支持作用と、締結構造及びその締結される締結座１５ｇ、３６ｇ同士の対向部間と締結穴１５ｈを持った締結座１５ｇと座金４６間での締結圧を利用した防振部材４７による軸方向の逃げの少ない弾性支持作用と、によって、送風手段１５はフィルタ室３６に対しどの方向にも防振部材４７によって振動の伝達を断たれ、また送風手段１５自身に対する吸振がなされるので、効果的な防振が図れる。
【００５１】
さらに、防振部材４７は図８に示すような形状をなし、図６に示すように前記締結穴１５ｈと凸軸３６ｈとの嵌まり合い部間に位置する筒部４７ａと、この筒部４７ａの両端部から外方に張り出し前記両締結座１５ｇ、３６ｇの対向部間と、前記締結穴１５ｈを有した締結座１５ｇ及び座金４６間とに位置する２つのフランジ部４７ｂ、４７ｃと、を一体に有したゴム成形品としてある。従って、１つの防振部材４７によって締結し合う締結座１５ｇ、３６ｇ同士の嵌め合い構造における軸穴嵌め合い部間には筒部４７ａが、締結構造における締結座１５ｇ、３６ｇ間及び締結座１５ｇと座金４６間には前記筒部４７ａの両端部のフランジ部４７ｂ、４７ｃが位置して前記防振作用を営ませることができ、締結座１５ｇの締結穴１５ｈの一方から防振部材４７の一方のフランジ部４７ｃなどを他方へ潜らせて装着し締結に供するだけで前記のように効果的な相互間防振作用、および送風手段１５に対する吸振作用が得られる。
【００５２】
しかも、２つのフランジ部４７ｂ、４７ｃの一方が全周に、他方は周方向複数箇所で放射状に張り出した形態としてあり、放射状に張り出す複数のフランジ部４７ｃの側で締結穴１５ｈに潜らせやすくなる。図示例では連続したフランジ部４７ｂが締結座１５ｇ、３６ｇの対向部間に位置して、周方向に分割したフランジ部４７ｃが位置する場合よりも、送風手段１５およびフィルタ室３６間の直接の防振性が高まるようにしている。
【００５３】
一方、加熱通路部５ａは図４、図５に示すように、送風手段１５の排気口１２４からフィルタ室３６との結合面方向に拡張して延びた拡張域５ａ１に、それを横断するように短冊形の加熱手段３２を内蔵し、加熱手段３２より下流は加熱手段３２の下流側面が側方から臨む筒状通路５ａ２としてある。これにより、送風手段１５およびその下流の加熱通路部５ａが極めて短くコンパクトに繋がり、しかも、循環空気の加熱手段３２に対する通過面積を大きくとって熱交換域効率を高めながら、熱交換後の高温空気を水槽３を介して回転ドラム２内に供給することができる。
【産業上の利用可能性】
【００５４】
本発明は、ドラム式洗濯乾燥機における洗濯物乾燥のための循環送風系に実用して、フィルタ室と送風手段との一ユニット化が送風手段の振動による問題なく実現し、小型化および通路の短縮による熱効率の向上を達成できる。
【図面の簡単な説明】
【００５５】
【図１】本発明の実施の形態に係るドラム式洗濯乾燥機の要部構成を示す断面図。
【図２】図１のフィルタ・加熱・送風ユニットと、洗濯乾燥機本体の天面、着脱口、フィルタ室、主フィルタ、バックアップフィルタの関係を示す断面図。
【図３】図２の洗濯乾燥機本体の天面、操作パネル、着脱口、主フィルタの天板の関係を示す斜視図。
【図４】フィルタ・加熱・送風ユニットを送風ファン側から見た背面図。
【図５】フィルタ・加熱・送風ユニットを加熱通路部側から見た斜視図。
【図６】フィルタ・加熱・送風ユニットを上方やや前面側からフィルタ室を覗き込む状態で見た斜視図。
【図７】フィルタ・加熱・送風ユニットにおける送風手段とフィルタ室との防振構造部を有した締結部を示す断面図。
【図８】防振構造部の防振部材を示す斜視図。
【図９】フィルタ室の洗濯乾燥機の着脱口まわりへの固定構造を示す断面図。
【符号の説明】
【００５６】
１  ドラム式洗濯乾燥機
２  回転ドラム
３  水槽
５  循環送風経路
５ａ  加熱通路部
５ｂ  除湿通路部
７、１２２  モータ
８  透孔
１５  送風手段
１５ｇ  締結座
１５ｈ  締結穴
３１  除湿手段
３２  加熱手段
３５  主フィルタ
３６  フィルタ室
３６ｄ  開口
３６ｇ  締結座
３６ｈ  凸軸
４３  防振構造部
４４  洗濯乾燥機本体
４４ａ  天面
４４ｂ  上面板
４６  座金
４７  防振部材
４７ａ  筒部
４７ｂ、４７ｃ  フランジ部
４８、１５５、１５６  ねじ
５１  着脱口
７２  循環空気排出口
７８  循環空気導入口
８２  バックアップフィルタ
９１  フィルタ
１０１  ケーシング
１０２  フィルタ・加熱・送風ユニット
１２１  吸気口
１２３  シール
【図１】
2008113725.tif 000003
【図２】
2008113725.tif 000004
【図３】
2008113725.tif 000005
【図４】
2008113725.tif 000006
【図５】
2008113725.tif 000007
【図６】
2008113725.tif 000008
【図７】
2008113725.tif 000009
【図８】
2008113725.tif 000010
【図９】
2008113725.tif 000011